(57)【特許請求の範囲】
【請求項１】
第１の筐体と第２の筐体が自在に係合されて、第１連結状態と第２連結状態となる筐体と、
前記連結状態を検出する連結状態検出手段と、
外部から送話音声を入力される前記第１連結状態用の第１送話部と、
外部から送話音声を入力される前記第２連結状態用の第２送話部と、
外部へ受話音声を出力する前記第１連結状態及び第２連結状態共用の受話部と、
前記連結状態に応じて前記送話部を選択する選択手段と、
前記選択された送話部の送話信号を入力とし、前記受話部からのエコーを抑圧するエコー抑圧手段と、
前記エコー抑圧手段の出力を入力とし、第１入出力特性と、高レベル入力領域での入出力特性が前記第１入出力特性の高レベル入力領域での入出力特性と同じで、低レベル入力領域での入出力特性が前記第１入出力特性の低レベル入力領域での入出力特性に比べて出力が低い第２入出力特性とを有するＡＧＣ回路と、
前記第１連結状態の場合、前記ＡＧＣ回路の第１入出力特性を選択し、前記第２連結状態の場合、前記ＡＧＣ回路の第２入出力特性を選択する制御手段とを
具備することを特徴とする通信端末。
【請求項２】
前記第１送話部は前記第２の筐体に設けられ、前記第２送話部及び前記受話部は前記第１の筐体に設けられたことを特徴とする請求項１記載の通信端末。
【請求項３】
前記第２の連結状態における前記第２送話部と前記受話部の距離が、前記第１の連結状態における前記第１送話部と前記受話部の距離より短いことを特徴とする請求項１記載の通信端末。
【請求項４】
第１の筐体と第２の筐体が自在に係合されて、第１連結状態と第２連結状態となる筐体と、
前記連結状態を検出する連結状態検出手段と、
外部へ受話音声を出力する前記第１連結状態用の第１受話部と、
外部へ受話音声を出力する前記第２連結状態用の第２受話部と、
外部から送話音声を入力される前記第１連結状態及び第２連結状態共用の送話部と、
前記連結状態に応じて前記受話部を選択する選択手段と、
前記送話部の送話信号を入力とし、前記選択された受話部からのエコーを抑圧するエコー抑圧手段と、
前記エコー抑圧手段の出力を入力とし、第１入出力特性と、高レベル入力領域での入出力特性が前記第１入出力特性の高レベル入力領域での入出力特性と同じで、低レベル入力領域での入出力特性が前記第１入出力特性の低レベル入力領域での入出力特性に比べて出力が低い第２入出力特性とを有するＡＧＣ回路と、
前記第１連結状態の場合、前記ＡＧＣ回路の第１入出力特性を選択し、前記第２連結状態の場合、前記ＡＧＣ回路の第２入出力特性を選択する制御手段とを
具備することを特徴とする通信端末。
【請求項５】
前記第１受話部は前記第１の筐体に設けられ、前記第２受話部及び前記送話部は前記第２の筐体に設けられたことを特徴とする請求項４記載の通信端末。
【請求項６】
前記第２の連結状態における前記第２受話部と前記送話部の距離が、前記第１の連結状態における前記第１受話部と前記送話部の距離より短いことを特徴とする請求項４記載の通信端末。
【請求項７】
第１の筐体と第２の筐体が自在に係合されて、第１連結状態と第２連結状態となる筐体と、
前記連結状態を検出する連結状態検出手段と、
外部へ受話音声を出力する前記第１連結状態用の第１受話部と、
外部から送話音声を入力される前記第１連結状態用の第１送話部と、
外部へ受話音声を出力する前記第２連結状態用の第２受話部と、
外部から送話音声を入力される前記第２連結状態用の第２送話部と、
前記連結状態に応じて前記受話部と前記送話部を選択する選択手段と、
前記選択された送話部の送話信号を入力とし、前記選択された受話部からのエコーを抑圧するエコー抑圧手段と、
前記エコー抑圧手段の出力を入力とし、第１入出力特性と、高レベル入力領域での入出力特性が前記第１入出力特性の高レベル入力領域での入出力特性と同じで、低レベル入力領域での入出力特性が前記第１入出力特性の低レベル入力領域での入出力特性に比べて出力が低い第２入出力特性とを有するＡＧＣ回路と、
前記第１連結状態の場合、前記ＡＧＣ回路の第１入出力特性を選択し、前記第２連結状態の場合、前記ＡＧＣ回路の第２入出力特性を選択する制御手段とを
具備することを特徴とする通信端末。
【請求項８】
前記第１受話部、前記第２受話部及び前記第２送話部は前記第１の筐体に設けられ、前記第１送話部は前記第２の筐体に設けられ、前記第１受話部は前記第２受話部及び前記第２送話部が設けられる面の反対側の面に設けられたことを特徴とする請求項７記載の通信端末。
【請求項９】
前記第２の連結状態における前記第２受話部と前記第２送話部の距離が、前記第１の連結状態における前記第１受話部と前記第１送話部の距離より短いことを特徴とする請求項７記載の通信端末。
【請求項１０】
第１の筐体と第２の筐体が自在に係合されてなる筐体と、
外部へ受話音声を出力するレシーバ通話モード用の第１受話部と、
外部へ前記第１受話部の受話音声より大きな受話音声を出力するハンズフリー通話モード用の第２受話部と、
外部から送話音声を入力される前記レシーバ通話及びハンズフリー通話共用の送話部と、
前記通話モードに応じて前記受話部を選択する選択手段と、
前記送話部の送話信号を入力とし、前記選択された受話部からのエコーを抑圧するエコー抑圧手段と、
前記エコー抑圧手段の出力を入力とし、第１入出力特性と、所定の入力領域において当該第１入出力特性の出力特性よりも低い出力特性を有する第２入出力特性とを有するＡＧＣ回路と、
前記レシーバ通話モードの場合、前記ＡＧＣ回路の第１入出力特性を選択し、前記ハンズフリー通話モードの場合、前記ＡＧＣ回路の第２入出力特性を選択する制御手段とを
具備し、
前記所定の入力領域とは低レベル入力領域であり、前記第２入出力特性は、高レベル入力領域での入出力特性が前記第１入出力特性の高レベル入力領域での入出力特性と同じで、前記低レベル入力領域での入出力特性が前記第１入出力特性の低レベル入力領域での入出力特性に比べて出力が低いことを特徴とする通信端末。
【請求項１１】
前記第１受話部は前記第１の筐体に設けられ、前記第２受話部及び前記送話部は前記第２の筐体に設けられ、前記第２受話部は前記送話部が設けられる面の反対側の面に設けられたことを特徴とする請求項１０記載の通信端末。
【請求項１２】
前記ハンズフリー通話モードにおける前記第２受話部と前記送話部の距離が、前記レシーバ通話モードにおける前記第１受話部と前記送話部の距離より短いことを特徴とする請求項１０記載の通信端末。
【発明の詳細な説明】
【技術分野】
【０００１】
本発明は、音声通話を行う通信端末にあって、音声レシーバやスピーカからマイクロホンへの回り込みによるエコー発生を抑制する通信端末に関する。
【背景技術】
【０００２】
折り畳み式の携帯電話機で筐体が開閉どちらの状態でも通話できる携帯電話機がある（例えば、特許文献１参照。）。この特許文献１の携帯電話機は、マイク部３、受話部４、受話部５を備える。使用者は、筐体の開状態では、マイク部３と開状態用の受話部４により通話を行う。使用者は、筐体の二つ折り状態では、マイク部３と二つ折り状態用の受話部５により通話を行う。しかし、この二つ折り状態では、開状態用の受話部４がマイク部３に近接し、エコーが発生しやすい。
【０００３】
このエコー対策として、機構的には、二つ折り状態において、マイク部３と開状態用の受話部４との間に遮音部３ｂを設けている。また、開状態用の受話部４の音声が外部へ漏れる間隙の方向を矢印Ａとして、マイク部３の指向方向の矢印Ｂとは異なる方向にしている。エコー対策として、電気的には、筐体の開閉を検出して、開状態では、開状態用の受話部４へのみ音声信号を伝達し、二つ折り状態では、二つ折り状態用の受話部５へのみ音声信号を伝達している。
【特許文献１】特開２００３−１８２６７号公報（第３〜４頁、図１〜図３）
【発明の開示】
【発明が解決しようとする課題】
【０００４】
特許文献１の携帯電話機は、筐体の開状態で通話に使用するマイク部３と受話部４との距離は離れており、エコーが問題となることはない。筐体の二つ折り状態で通話に使用するマイク部３と受話部５との距離は、開状態で使用するマイク部３と受話部４との距離に比べると近い距離である。そのため、筐体の二つ折り状態での通話は、開状態での通話に比べて、エコーが発生しやすい。しかし、特許文献１には、筐体の二つ折り状態で使用するマイク部３と受話部５によるエコーに関する記載はない。
【０００５】
本発明は、様々な開閉機構（連結機構）の通信端末において、開状態（第１連結状態）、閉状態（第２連結状態）それぞれの状態での通話を行う場合に最適なエコー抑圧制御を行うことができる通信端末を提供することを目的とする。また、エコー抑圧を行うことができる機構構造の通信端末を提供することを目的とする。
【課題を解決するための手段】
【０００６】
上記目的を達成するために、本願請求項１記載の通信端末は、第１の筐体と第２の筐体が自在に係合されて、第１連結状態と第２連結状態となる筐体と、前記連結状態を検出する連結状態検出手段と、外部から送話音声を入力される前記第１連結状態用の第１送話部と、外部から送話音声を入力される前記第２連結状態用の第２送話部と、外部へ受話音声を出力する前記第１連結状態及び第２連結状態共用の受話部と、前記連結状態に応じて前記送話部を選択する選択手段と、前記選択された送話部の送話信号を入力とし、前記受話部からのエコーを抑圧するエコー抑圧手段と、前記エコー抑圧手段の出力を入力とし、第１入出力特性と、高レベル入力領域での入出力特性が前記第１入出力特性の高レベル入力領域での入出力特性と同じで、低レベル入力領域での入出力特性が前記第１入出力特性の低レベル入力領域での入出力特性に比べて出力が低い第２入出力特性とを有するＡＧＣ回路と、前記第１連結状態の場合、前記ＡＧＣ回路の第１入出力特性を選択し、前記第２連結状態の場合、前記ＡＧＣ回路の第２入出力特性を選択する制御手段とを具備することを特徴とする。
【発明の効果】
【０００７】
本願請求項１記載の通信端末によれば、様々な開閉機構（連結機構）の通信端末において、開状態（第１連結状態）、閉状態（第２連結状態）それぞれの状態での通話を行う場合に最適なエコー抑圧制御を行うことが可能となる。
【発明を実施するための最良の形態】
【０００８】
以下、本発明の実施例を、図面を参照して説明する。
【実施例１】
【０００９】
実施例１は、筐体の第１連結状態（開状態）と第２連結状態（閉状態）それぞれにおいて通話可能な構成において、ＡＧＣの入出力特性を切り替え制御する。それぞれの通話において使用する送話部／受話部は、第１連結状態専用のマイク（送話部）、第２連結状態専用のマイク（送話部）、共用のレシーバ（受話部）の計３個を備える場合である。  
図１は、本発明の実施例１に係る通信端末の外観図である。（ａ）第１連結状態、（ｂ）第２連結状態を示す。携帯端末１００は、ダブルヒンジによるスイーベル構造である。上筐体１と下筐体２がヒンジ３により回動自在に係合している。また、上筐体１は、筐体１ａと筐体１ｂがヒンジ１ｃにより回動自在に係合している。
【００１０】
上筐体１の筐体１ａには、検出部４ａ（磁石）、検出部４ｂ（磁石）、レシーバ５（受話部）、表示部６、マイク７（送話部）が配置される。下筐体２には、検出部４ｃ（ホールＩＣ）、検出部４ｄ（ホールＩＣ）、キー８、マイク９（送話部）が配置される。（ａ）第１連結状態から、筐体１ａを回転し、更に上筐体１全体を折り畳むと、（ｂ）第２連結状態となり、表示部６、マイク７、レシーバ５が外部に向けられた状態となる。（ｂ）第２連結状態になると、検出部４ｂ（磁石）と検出部４ｄ（ホールＩＣ）が近接し、検出部４ｄにより、第２連結状態にあることが検出される。
【００１１】
（ａ）第１連結状態での通話は、マイク９とレシーバ５が使用者との音声インターフェースとして使用される。（ｂ）第２連結状態でも通話が可能であり、マイク７とレシーバ５が使用者との音声インターフェースとして使用される。レシーバ５は、（ａ）第１連結状態と（ｂ）第２連結状態での通話で共用される。
【００１２】
使用者は、マイク９又はマイク７の近くで話すため、必要十分な大きさの送話音声がマイク９又はマイク７に入力される。一方、レシーバ５からの受話音声は、マイク７およびマイク９へも回り込んで入力されてしまう。この回り込みのパスは、（ａ）第１連結状態では、レシーバ５からマイク９への空間や筐体を経由した音響伝達経路（第１音響伝達経路）である。（ｂ）第２連結状態では、レシーバ５からマイク７への空間や筐体を経由した音響伝達経路（第２音響伝達経路）であり、（ａ）第１連結状態に比べて、レシーバ５からマイク７への距離が近いために、マイク７への回り込みの量が多くなる。この回り込んだ受話音声をそのまま通話相手へ送信してしまうと、通話相手には、通話相手自身が話した音声がエコーとして聞こえてしまう。このエコーの抑圧について以降で説明する。
【００１３】
図２は、本発明の実施例１に係る通信端末の関連部分のブロック図であり、図１の構造の通信端末に関連したブロック図である。通信端末１００は、図１で説明した検出部４（４ａ、４ｂ、４ｃ、４ｄ）、レシーバ５、マイク７、キー８、マイク９に加えて、エコーキャンセラ２１、ＤＡＣ２２（ＤＡコンバータ）、スイッチ２３、ＡＤＣ２４（ＡＤコンバータ）、ＡＧＣ２５（自動利得制御）、制御部２６などにより構成される。更に、エコーキャンセラ２１は、適応フィルタ２７、ＤＴＤ２８（ダブルトーク信号検出）、演算部２９などを備える。また、制御部２６は、第１入出力特性記憶部３０、第２入出力特性記憶部３１などを備える。
【００１４】
受信信号２１ａは、図示しない復調手段等により復調した受信信号であり、通信端末１００の使用者が通話している通話相手から受信した音声信号である。送信信号２５ａは、通信端末１００の使用者の発する音声信号であり、図示しない変調手段等へ供給して、通話相手へ送信される。
【００１５】
受信信号２１ａは、ＤＡＣ２２によりアナログ信号に変換されて、レシーバ５へ供給される。レシーバ５は、受話音声として外部へ出力し、通信端末１００の使用者は、この受話音声を聞く。通信端末１００の使用者が話す送話音声の信号経路は、マイク７又はマイク９から始まり、スイッチ２３、ＡＤＣ２４、エコーキャンセラ２１と続き、その後段にＡＧＣ２５がある。まず、通信端末１００の使用者が話す送話音声は、マイク７およびマイク９により電気信号に変換され、スイッチ２３によりどちらかが選択されて、ＡＤＣ２４に供給される。ＡＤＣ２４はディジタル信号に変換して、エコーキャンセラ２１へ供給する。
【００１６】
ところで、レシーバ５が出力した受話音声は、通信端末１００の使用者に音声として届くが、一方で、マイク７およびマイク９へ回り込んで入力される。この回り込んだ信号をそのまま通話相手へ送信してしまうと、通話相手には、通話相手自身が話した音声がエコーとして聞こえてしまう。このエコーを抑圧するために、エコーキャンセラ２１のＤＴＤ２８は、受話音声である受信信号２１ａと送話音声であるＡＤＣ２４出力の信号２４ａの音声レベルを検出する。適応フィルタ２７は、エコーパスを推定し、生成された擬似エコー信号を演算部２９へ供給する。演算部２９は、送話音声である信号２４ａから擬似エコー信号を引くことで、レシーバ５からマイク７、マイク９への回り込み成分を抑圧、つまりエコーを抑圧し、本来の送信すべき送話音声を信号２１ｂとして出力する。
【００１７】
このエコー抑圧については、筐体が第１連結状態の場合、レシーバ５とマイク９間の距離は遠く、そのため、回り込み成分がそれほど大きくない場合は、エコーキャンセラ２１は、エコーを十分に抑圧して小さくすることができる。しかし、筐体が第２連結状態の場合、レシーバ５とマイク７間は距離が近いために、回り込み成分が大きい。その場合、エコーキャンセラ２１では、回り込み成分を十分には除去できずに、エコーキャンセラ２１出力の信号２１ｂにエコーが残留してしまう。
【００１８】
ＡＧＣ２５は、制御部２６から設定された入出力特性により、入力の信号２１ｂに応じた出力の送信信号２５ａを出力する。制御部２６は、ＡＧＣ２５に設定する入出力特性を記憶した第１入出力特性記憶部３０、第２入出力特性記憶部３１を有する。この入出力特性の詳細については、後で説明する（図３）。また、制御部２６は、図示しないＣＰＵ、プログラムＲＯＭ、ワーキングＲＡＭ、Ｉ／Ｏなどを有する。制御部２６は、検出部４が第１連結状態を検出した場合には、第１入出力特性記憶部３０に記憶されている入出力特性をＡＧＣ２５に設定する。また、検出部４が第２連結状態を検出した場合には、第２入出力特性記憶部３１に記憶されている入出力特性をＡＧＣ２５に設定する。制御部２６は、また、キー８のモード設定などに応じて、スイッチ２３の入力選択、ＡＧＣ２５に設定する入出力特性の選択を行う。その動作については、後で説明する（図４）。  
なお、第１入出力特性記憶部３０と第２入出力特性記憶部３１は、制御部２６の内部に備えたが、ＡＧＣ２５の内部に備えてもよく、ＡＧＣ制御機能をＡＧＣ２５と制御部２６とで適宜分担してもよい。
【００１９】
図３は、本発明の実施例１、実施例２、実施例３に係る通信端末のＡＧＣの入出力特性を説明する図である。横軸は、ＡＧＣ２５の入力レベル、すなわちエコーキャンセラ２１出力である信号２１ｂである。縦軸は、ＡＧＣ２５の出力である送信信号２５ａの出力レベル［ｄＢｍ０］である。太い実線は、入力対出力を表すカーブである。制御部２６の第１入出力特性記憶部３０は、第１入出力特性カーブである線分Ｐ１−Ｐ２−Ｐ３−Ｐ４の特性を記憶する。第２入出力特性記憶部３１は、第２入出力特性カーブである線分Ｐ１−Ｐ２−Ｐ５−Ｐ６の特性を記憶する。第２入出力特性は、第１入出力特性に比べて、入力レベルが低レベルの領域の出力レベルが小さい。ＡＧＣ２５は、制御部２６により設定された第１入出力特性又は第２入出力特性に則って、入力の２１ｂに対応した送信信号２５ａを出力する。
【００２０】
横軸のエコーキャンセラ２１出力である信号２１ｂについて説明する。まず、筐体が第１連結状態の場合は、回り込み量が小さく、エコーキャンセラ２１によりエコーは十分抑圧されており、信号２１ｂのエコー成分は、例えば、Ｅｉｎ１レベルまで小さくなっている。信号２１ｂの本来の送話音声は、十分大きくて例えば、Ｓｉｎレベルにある。
【００２１】
筐体が第２連結状態の場合は、回り込み量が大きく、エコーキャンセラ２１によりエコーは十分には抑圧できず、信号２１ｂのエコー成分は、例えば、Ｅｉｎ２レベルにあり、Ｅｉｎ１よりも大きいエコーが残留している。本来の送話音声は、十分大きくて例えば、Ｓｉｎレベルにある。本来の送話音声はすべて大きなＳｉｎレベル近辺にある場合だけではなく、小さいレベルの場合もあるが、全般的には、送話音声は、エコーに比べて大きい。
【００２２】
この筐体の連結状態に応じてＡＧＣの第１入出力特性か第２入出力特性を選択するアルゴリズムとする。すなわち、筐体が第１連結状態の場合は、第１入出力特性を選択する。そうすると、ＡＧＣ出力レベルは、音声入力Ｓｉｎに対しては音声出力Ｓｏｕｔ、エコー入力Ｅｉｎ１に対してはエコー出力Ｅｏｕｔ１となり、ＡＧＣにおいてもエコー出力を十分抑圧している。筐体が第２連結状態の場合は、第２入出力特性を選択する。そうすると、ＡＧＣ出力レベルは、音声入力Ｓｉｎに対しては音声出力Ｓｏｕｔ、エコー入力Ｅｉｎ２に対してはエコー出力Ｅｏｕｔ２となり、ＡＧＣにおいてもエコー出力を十分抑圧している。
【００２３】
従来、筐体の連結状態に無関係に、ＡＧＣの入出力特性は第１入出力特性のみであった。従来、筐体が第２連結状態のようにエコー入力が大きいＥｉｎ２に対して第１入出力特性を適用すると、大きなＡＧＣ出力レベルＥｏｕｔ２２となってしまい、ＡＧＣとしてエコーを抑圧することができなかった。それに比べて、本発明では、ＡＧＣとして、エコー入力が大きいＥｉｎ２に対して第２入出力特性を適用するので、小さなＡＧＣ出力レベルＥｏｕｔ２まで抑圧することが可能となる。  
なお、各入出力特性は、線部Ｐ１−Ｐ２−Ｐ３−Ｐ４、線分Ｐ１−Ｐ２−Ｐ５−Ｐ６としたが、直線ではなく、曲線カーブであってもよい。
【００２４】
図４は、本発明の実施例１、実施例２に係る通信端末の制御部の動作フローチャートであり、図３で説明したアルゴリズムをそのまま制御する。制御部２６は、ＡＧＣ制御（ステップＳ１）に入ると、検出部４をチェックして筐体の連結状態を判断する（ステップＳ２）。第１連結状態の場合、通話は、レシーバ５とマイク９が使用されるので、制御部２６は、スイッチ２３を切り換えて送話部としては、マイク９を選択する（ステップＳ３）。次に、ＡＧＣ２５に対して、第１入出力特性を選択する（ステップＳ４）。
【００２５】
制御部２６は、ステップＳ２で第２連結状態の場合、通話は、レシーバ５とマイク７が使用されるので、制御部２６は、スイッチ２３を切り換えて送話部としては、マイク７を選択する（ステップＳ５）。次に、ＡＧＣ２５に対して、第２入出力特性を選択する（ステップＳ６）。
【００２６】
実施例１によれば、第１連結状態、第２連結状態それぞれの状態での通話を行う通信端末にあって、送話音声の信号経路で、エコーキャンセラの後段に複数の入出力特性が切り替え可能なＡＧＣを設ける。そして、連結状態に応じてＡＧＣの複数の入出力特性を切り替えることにより、エコーの発生を抑圧することが可能となる。
【実施例２】
【００２７】
実施例２は、筐体の第１連結状態と第２連結状態それぞれにおいて通話可能な構成において、ＡＧＣの入出力特性を切り替え制御する。それぞれの通話において使用する送話部／受話部の組み合わせとして、実施例１とは異なる別の組み合わせの場合である。  
図５は、本発明の実施例２の１に係る通信端末の外観図である。第１連結状態専用のレシーバ（受話部）、第２連結状態専用のレシーバ（受話部）、共用のマイク（送話部）の計３個を備える場合である。（ａ）第１連結状態、（ｂ）第２連結状態を示す。実施例１の図１と同じ部分には同じ番号を付して、相違点を主に説明する。上筐体１の筐体１ａに新たに検出部４ｅ（磁石）を備える。下筐体２に、新たに検出部４ｆ（ホールＩＣ）、レシーバ１０を備える。（ａ）第１連結状態から、上筐体１の筐体１ａをヒンジ１ｃを軸に回転させると、（ｂ）第２連結状態となる。（ｂ）第２連結状態の検出は、検出部４ｅ（磁石）と検出部４ｆ（ホールＩＣ）が近接することにより検出される。（ａ）第１連結状態での通話は、レシーバ５とマイク９が使用者との音声インターフェースとして使用される。（ｂ）第２連結状態でも通話が可能であり、マイク９とレシーバ１０が使用者との音声インターフェースとして使用される。マイク９は、（ａ）第１連結状態と（ｂ）第２連結状態での通話で共用される。
【００２８】
使用者は、マイク９の近くで話すため、必要十分な大きさの送話音声がマイク９に入力される。一方、レシーバ５又はレシーバ１０からの受話音声は、マイク９へも回り込んで入力されてしまう。この回り込みのパスは、（ａ）第１連結状態では、レシーバ５からマイク９への空間や筐体を経由した音響伝達経路（第１音響伝達経路）である。（ｂ）第２連結状態では、レシーバ１０からマイク９への空間や筐体を経由した音響伝達経路（第２音響伝達経路）であり、（ａ）第１連結状態に比べて、レシーバ１０からマイク９への距離が近いために、マイク９への回り込みの量が多くなる。
【００２９】
図６は、本発明の実施例２の２に係る通信端末の外観図である。第１連結状態専用のマイク（送話部）とレシーバ（受話部）、第２連結状態専用のマイク（送話部）とレシーバ（受話部）の計４個を備える場合である。（ａ）第１連結状態、（ｂ）第２連結状態を示す。実施例１の図１と同じ部分には同じ番号を付して、相違点を主に説明する。
【００３０】
上筐体１の筐体１ａの背面に、新たにマイク１１、レシーバ１２を備える。（ａ）第１連結状態から、上筐体１全体を紙面手前に向けて折り畳むと、（ｂ）第２連結状態となり、マイク１１、レシーバ１２が外部に向けられた状態となる。（ｂ）第２連結状態の検出は、検出部４ａ（磁石）と検出部４ｃ（ホールＩＣ）が近接することにより検出される。（ａ）第１連結状態での通話は、レシーバ５とマイク９が使用者との音声インターフェースとして使用される。（ｂ）第２連結状態でも通話が可能であり、マイク１１とレシーバ１２が使用者との音声インターフェースとして使用される。
【００３１】
使用者は、マイク９又はマイク１１の近くで話すため、必要十分な大きさの送話音声がマイク９又はマイク１１に入力される。一方、レシーバ５からの受話音声は、マイク９へも回り込んで入力されてしまう。また、レシーバ１２からの受話音声は、マイク１１へも回り込んで入力されてしまう。この回り込みのパスは、（ａ）第１連結状態では、レシーバ５からマイク９への空間や筐体を経由した音響伝達経路（第１音響伝達経路）である。（ｂ）第２連結状態では、レシーバ１２からマイク１１への空間や筐体を経由した音響伝達経路（第２音響伝達経路）であり、（ａ）第１連結状態に比べて、レシーバ１２からマイク１１への距離が近いために、マイク１１への回り込みの量が多くなる。
【００３２】
図７は、本発明の実施例２に係る通信端末の関連部分のブロック図であり、実施例１の図２のブロック図との相違点であるマイク、レシーバ、スイッチ近辺のみ図示する。（ａ）は、実施例２の１、（ｂ）は、実施例２の２を示す。  
（ａ）実施例２の１は、図５の外観図に相当するブロック図であり、第１連結状態専用のレシーバ５、第２連結状態専用のレシーバ１０、共用のマイク９を備える。また、レシーバ５とレシーバ１０の切り替え用のスイッチ３２を備える。図２の２個のマイクを切り替えるスイッチ２３は不要である。その他の部分は、実施例１の図２と同等である。
【００３３】
（ｂ）実施例２の２は、図６の外観図に相当するブロック図であり、第１連結状態専用のマイク９とレシーバ５、第２連結状態専用のマイク１１とレシーバ１２を備える。また、レシーバ５とレシーバ１２の切り替え用のスイッチ３２、マイク９とマイク１１の切り替え用のスイッチ２３を備える。その他の部分は、実施例１の図２と同等である。
【００３４】
実施例２に係る通信端末の制御部の動作フローチャートは、実施例１（図４）で説明した動作と同様である。第１連結状態の場合、制御部２６は、第１連結状態で使用するマイクとレシーバを選択し、ＡＧＣ２５に対して第１入出力特性を選択する。第２連結状態の場合、制御部２６は、第２連結状態で使用するマイクとレシーバを選択し、ＡＧＣ２５に対して第２入出力特性を選択する。
【００３５】
実施例２によれば、実施例１と同様に、筐体の複数の連結状態毎での通話ができる通信端末にあって、送話音声の信号経路で、エコーキャンセラの後段に複数の入出力特性が切り替え可能なＡＧＣを設ける。そして、複数の連結状態に応じてＡＧＣの複数の入出力特性を切り替えることにより、エコーの発生を抑圧することが可能となる。
【実施例３】
【００３６】
実施例３は、通常通話モード（レシーバ通話）とハンズフリー通話モードを備える構成において、ＡＧＣの入出力特性を切り替え制御する。  
図８は、本発明の実施例３に係る通信端末の外観図である。実施例１の図１と同じ部分には同じ番号を付して、相違点を主に説明する。下筐体２に、新たにスピーカ１３を備える。マイク９とレシーバ５は、通常通話（レシーバ通話）用として用いられる。マイク９とスピーカ１３は、ハンズフリー通話用として用いられる。マイク９は共用される。
【００３７】
ハンズフリー通話では、使用者は、通信端末１００から離れて、ハンズフリー通話を行うために、スピーカ１３は大きな受話音声を出力する。また、マイク９の感度もアップされる。従って、回り込みは、通常通話（レシーバ通話）に比べて、より大きくなる。なお、スピーカ１３は、下筐体２に配置したが、上筐体１に配置してもよい。その場合も、同様に回り込みは大きい。
【００３８】
図９は、本発明の実施例３に係る通信端末の関連部分のブロック図であり、実施例１の図２のブロック図との相違点であるマイク、レシーバ、スピーカ、スイッチ近辺のみ図示する。通常通話（レシーバ通話）専用のレシーバ５、ハンズフリー通話用のスピーカ１３、共用のマイク９を備える。また、レシーバ５とスピーカ１３の切り替え用のスイッチ３２を備える。その他の部分は、実施例１の図２と同等である。
【００３９】
図１０は、本発明の実施例３に係る通信端末の制御部の動作フローチャートである。制御部２６は、通話モードでＡＧＣ制御を行う。制御部２６は、ＡＧＣ制御（ステップＳ１１）に入ると、通話モードをチェックする（ステップＳ１２）。通常通話（レシーバ通話）の場合、通話は、マイク９とレシーバ５が使用されるので、制御部２６は、スイッチ３２を切り換えて受話部としては、レシーバ５を選択する（ステップＳ１３）。そして、ＡＧＣ２５に対して、第１入出力特性を選択する（ステップＳ１４）。
【００４０】
制御部２６は、ステップＳ１２でハンズフリー通話の場合、マイク９とスピーカ１３が使用されるので、スイッチ３２を切り換えて受話部としては、スピーカ１３を選択する（ステップＳ１５）。そして、ＡＧＣ２５に対して、第２入出力特性を選択する（ステップＳ１６）。ＡＧＣの入出力特性については、実施例１の図３と同様であり、ハンズフリー通話の場合のエコーを抑制することができる。
【００４１】
実施例３によれば、通常通話モード（レシーバ通話）とハンズフリー通話モードを備えた通信端末にあって、送話音声の信号経路で、エコーキャンセラの後段に複数の入出力特性が切り替え可能なＡＧＣを設ける。そして、通話モードに応じてＡＧＣの複数の入出力特性を切り替えることにより、エコーの発生を抑圧することが可能となる。
【実施例４】
【００４２】
実施例４は、機構構造により受話音声の回り込みを低減してエコーを低減する構成である。  
図１１は、本発明の実施例４の１に係る通信端末の側面図である。マイクとレシーバの構成は、実施例１の図１と同様である。マイク９への送話音声の入力経路として、筒状の音声経路切り欠き部９ａを備える。従って、マイク９は、音声経路切り欠き部９ａの筒状の方向である送話音声９ｂ（太い矢印）の方向からの音声に対して集音指向性を持つ。マイク７への送話音声の入力経路として、筒状の音声経路切り欠き部７ａを備える。従って、マイク７は、音声経路切り欠き部７ａの筒状の方向である送話音声７ｂ（太い矢印）の方向からの音声に対して集音指向性を持つ。レシーバ５が出力する受話音声の出力経路として、筒状の音声経路切り欠き部５ａを備える。従って、レシーバ５が出力する受話音声５ｂ（太い矢印）は、音声経路切り欠き部５の筒状の方向に対して放音指向性を持つ。
【００４３】
筐体の開状態で通話を行う場合、マイク９とレシーバ５が使用される。レシーバ５が出力する受話音声５ｂの方向は、マイク９の送話音声９ｂの集音方向とは異なる。従って、受話音声５ｂがマイク９に回り込むことが低減される。筐体の閉状態で通話を行う場合、マイク７とレシーバ５が使用される。レシーバ５が出力する受話音声５ｂの方向は、マイク７の送話音声７ｂの集音方向とは異なる。従って、受話音声５ｂがマイク７に回り込むことが低減される。  
このマイクの音声経路切り欠き部の出口方向（送話音声の矢印と逆の方向）とレシーバの音声経路切り欠き部の出口方向（受話音声の矢印と同方向）とが互いに離れる方向であれば、回り込みを低減することができる。
【００４４】
図１２は、本発明の実施例４の２に係る通信端末の外観図である。（ａ）は側面図、（ｂ）は正面図である。図１１との相違点を主に説明する。受話音声の発生源として、スピーカ１４、１５と、それぞれが出力する受話音声の出力経路として、筒状の音声経路切り欠き部１４ａ、１５ａを備える。従って、スピーカ１４、１５が出力する受話音声１４ｂ、１５ｂの方向は、マイク９の送話音声９ｂの集音方向とは異なる。
【００４５】
音声経路切り欠き部１４ａ、１５ａの出口方向は、（ａ）側面図に示すように、下筐体２の背面側の方向であってもよい。又は、（ｂ）正面図に示すように、側面側の方向であってもよい。そして、マイクの音声経路切り欠き部の出口方向（送話音声の矢印と逆の方向）とスピーカの音声経路切り欠き部の出口方向（受話音声の矢印と同方向）とが互いに離れる方向であれば、回り込みを低減することができる。
【００４６】
実施例４によれば、マイク（送話部）、レシーバ（受話部）、スピーカ（受話部）の配置部分に筒状の音声経路切り欠き部を設け、送話部の音声経路切り欠き部の出口方向と受話部の音声経路切り欠き部の出口方向とが互いに離れる方向にすることにより、回り込みを低減することができる。
【００４７】
なお、実施例１、２、３では、第１連結状態での送話部と受話部の対と第２連結状態での送話部と受話部の対を異なるものとしたが、例えば、１つのスピーカをレシーバ通話とハンズフリー通話で共用し、レシーバ通話の場合は、スピーカ出力を低くし、ハンズフリー通話の場合は、スピーカ出力を大きくするような場合においても、ＡＧＣ特性を切り替えるようにしてもよい。
【００４８】
また、筐体の連結機構としてスイーベル機構の場合について説明したが、他の連結機構においても、第１連結状態、第２連結状態それぞれの状態での通話を行う場合に、本発明を適用できる。他の開閉機構として、例えば、特開２００５−２１４９００号公報の段落番号０００３、段落番号００３７、図３のクラムシェル型、図４のターンオーバー型などに適用してもよい。
【図面の簡単な説明】
【００４９】
【図１】本発明の実施例１に係る通信端末の外観図。
【図２】本発明の実施例１に係る通信端末の関連部分のブロック図。
【図３】本発明の実施例１、実施例２、実施例３に係る通信端末のＡＧＣの入出力特性を説明する図。
【図４】本発明の実施例１、実施例２に係る通信端末の制御部の動作フローチャート。
【図５】本発明の実施例２の１に係る通信端末の外観図。
【図６】本発明の実施例２の２に係る通信端末の外観図。
【図７】本発明の実施例２に係る通信端末の関連部分のブロック図。
【図８】本発明の実施例３に係る通信端末の外観図。
【図９】本発明の実施例３に係る通信端末の関連部分のブロック図。
【図１０】本発明の実施例３に係る通信端末の制御部の動作フローチャート。
【図１１】本発明の実施例４の１に係る通信端末の側面図。
【図１２】本発明の実施例４の２に係る通信端末の外観図。
【符号の説明】
【００５０】
１  上筐体
１ａ、１ｂ  筐体
１ｃ  ヒンジ
２  下筐体
３  ヒンジ
４、４ａ、４ｂ、４ｃ、４ｄ、４ｅ、４ｆ  検出部
５  レシーバ
５ａ  音声経路切り欠き部
６  表示部
７  マイク
７ａ  音声経路切り欠き部
８  キー
９  マイク
９ａ  音声経路切り欠き部
１０  レシーバ
１１  マイク
１２  レシーバ
１３、１４、１５  スピーカ
２１  エコーキャンセラ
２２  ＤＡＣ
２３  スイッチ
２４  ＡＤＣ
２５  ＡＧＣ
２６  制御部
２７  適応フィルタ
２８  ＤＴＤ
２９  演算部
３０  第１入出力特性記憶部
３１  第２入出力特性記憶部
３２  スイッチ
１００  通信端末
【図１】
0004688701.tif 000002
【図２】
0004688701.tif 000003
【図３】
0004688701.tif 000004
【図４】
0004688701.tif 000005
【図５】
0004688701.tif 000006
【図６】
0004688701.tif 000007
【図７】
0004688701.tif 000008
【図８】
0004688701.tif 000009
【図９】
0004688701.tif 000010
【図１０】
0004688701.tif 000011
【図１１】
0004688701.tif 000012
【図１２】
0004688701.tif 000013